(57)【要約】【課題】  本発明は、撮影時に露光量を適正範囲に調整するときに、被写体を観察しながら行うことができるカメラを提供すること。【解決手段】  本発明のカメラ１は、所定の露光調整により露光量が調整可能になっており、露光調整により露光量が撮影に適正な適正範囲、又は撮影に不適な不適正範囲になった旨の露光情報を、被写体を観察しながら撮影者が感知可能な感知手段を配設している。  そのために、所望のシャッターチャンスを逃がすことなく撮影することができる。【選択図】        図１
2006243091.tif 000002
【特許請求の範囲】
【請求項１】
所定の露光調整により露光量を調整可能なカメラであって、前記露光調整により前記露光量が撮影に適正な適正範囲、又は撮影に不適な不適正範囲になった旨の露光情報を、被写体を観察しながら撮影者が感知可能な感知手段を配設したことを特徴とするカメラ。
【請求項２】
前記感知手段は、前記カメラを所定の振幅で振動駆動可能な振動発生手段を有し、この振動発生手段によって前記カメラが振動することで、前記露光情報を撮影者が感知できることを特徴とする請求項１記載のカメラ。
【請求項３】
前記振動発生手段により振動する振動パターンは、複数種類あり、前記振動パターンは、前記露光調整によって前記露光量が適正範囲になると第１の振動パターで振動し、前記露光量が適正範囲から所定範囲外れた場合は、第２の振動パターンで振動することを特徴とする請求項２記載のカメラ。
【請求項４】
前記振動パターンは、露光調整中に露光量が前記所定範囲以上外れた場合は、第３の振動パターンで振動することを特徴とする請求項３記載のカメラ。
【請求項５】
前記感知手段は、所定の大きさの音を発生可能な音発生手段を有し、この音発生手段から発する音と前記振動発生手段による振動とを組み合わせて前記露光情報を感知可能としたことを特徴とする請求項１乃至４のいずれかに記載のカメラ。
【請求項６】
押圧操作とスライド操作とが可能なスイッチ装置を備え、前記スイッチ装置の押圧操作で少なくとも絞り調整モードに切り換わり、その後、前記スライド操作で前記絞りが調整可能になることを特徴とする請求項１乃至５のいずれかに記載のカメラ。
【請求項７】
前記絞り調整モードに切り換え後、再度前記押圧操作を行うことで、シャッター速度調整モードに切り換わり、その後、前記スライド操作で前記シャッタ速度が調整可能になることを特徴とする請求項６記載のカメラ。
【発明の詳細な説明】
【技術分野】
【０００１】
本発明はカメラに係わり、特に、被写体を観察しながら露光量を適正範囲に調整可能なカメラに関する。
【背景技術】
【０００２】
従来のカメラを特許文献１に基づいてフィルム式のカメラで説明すると、従来のカメラ２０は、図６、図７に示すように、グリップ部２１の上面には、シャッタボタン２２とＵＰ／ＤＯＷＮダイヤル２３とが近接して配置されている。
前記ＵＰ／ＤＯＷＮダイヤル２３は、正逆回転可能なダイヤルスイッチであり、フイルム装填時、及び絞り量、ＥＶ補正、シャッタ速度、フォーカス調整等の撮影条件の設定を行うようになっている。
【０００３】
また、ＵＰ／ＤＯＷＮダイヤル２３に近接して、ＡＦボタン２４と露出補正ボタン２５とが配置されている。
前記ＡＦボタン２４の操作によって、オートフォーカスモード／マニアルフォーカスモードに切り換え可能になっており、露出補正ボタン２５によって、露光量の調整がオート撮影モード／セミオート撮影モード等に切り換え可能になっている。
【０００４】
そして、必要によって絞りを可変したい場合には、裏蓋２７が閉じられて裏蓋スイッチ２６がＯＮになっていることと、セレクトダイヤル２８、ＡＦボタン２４等の操作の組合せによって、撮影モードがオート撮影モードからセミオート撮影モードになると共に、ＵＰ／ＤＯＷＮダイヤル２３の機能が、例えば絞り調整モードに切り換わる。
その後、表示部２９に表示される絞り値を観察しながらＵＰ／ＤＯＷＮダイヤル２３を回転操作することで、露光量が適正範囲に調整されたことが表示部２９に表示される。そして、ＵＰ／ＤＯＷＮダイヤル２３により絞りを、例えば開放側に調整することにより、被写界深度が浅くなって、被写体バックの景色等をピンぼけ状態に撮影することができる。
【０００５】
また、乗り物、あるいはスポーツ選手等の動いている被写体を撮影する場合に、シャッタ速度を例えば１／５００秒の高速領域で撮影したい場合は、セレクトダイヤル２８、露出補正ボタン２５等の操作の組合せによって、ＵＰ／ＤＯＷＮダイヤル２３がシャッタ速度調整モードとなり、表示部２９に表示されるシャッター速度を観察しながらＵＰ／ＤＯＷＮダイヤル２３を回転操作して１／５００秒に調整することにより、動きのある被写体をぶれることなく鮮明に撮影することができる。
【特許文献１】特開平０９−０１５６９７号公報
【発明の開示】
【発明が解決しようとする課題】
【０００６】
しかし、従来のカメラ２０は、セミオート撮影モード、又はマニアル撮影モードに切り換えて絞りの調整、またはシャッター速度の調整をするときに、表示部２９を観察しながら行わなければいけなかった。
そのために、乗り物あるいはスポーツ選手等のような、動いている被写体を撮影する場合に、シャッターチャンスを逃がすおそれがあった。
また、露光量をマニアル調整するのに、ＵＰ／ＤＯＷＮダイヤル２３、ＡＦボタン２４、露出補正ボタン２５等の複数のボタンを操作しなけれならないので、操作が複雑であり、操作に時間が掛かる問題があった。
そこで本発明は、前述のような課題を解決して、撮影時に露光量を調整するときに、被写体を観察しながら行うことができるカメラを提供することを目的とする。
【課題を解決するための手段】
【０００７】
上記課題を解決するための第１の解決手段として本発明のカメラは、所定の露光調整により露光量を調整可能なカメラであって、前記露光調整により前記露光量が撮影に適正な適正範囲、又は撮影に不適な不適正範囲になった旨の露光情報を、被写体を観察しながら撮影者が感知可能な感知手段を配設したことを特徴とする。
また、上記課題を解決するための第２の解決手段として、前記感知手段は、前記カメラを所定の振幅で振動駆動可能な振動発生手段を有し、この振動発生手段によって前記カメラが振動することで、前記露光情報を撮影者が感知できることを特徴とする。
【０００８】
また、上記課題を解決するための第３の解決手段として、前記振動発生手段により振動する振動パターンは、複数種類あり、前記振動パターンは、前記露光調整によって前記露光量が適正範囲になると第１の振動パターで振動し、前記露光量が適正範囲から所定範囲外れた場合は、第２の振動パターンで振動することを特徴とする。
また、上記課題を解決するための第４の解決手段として、前記振動パターンは、露光調整中に露光量が前記所定範囲以上外れた場合は、第３の振動パターンで振動することを特徴とする。
【０００９】
また、上記課題を解決するための第５の解決手段として、前記感知手段は、所定の大きさの音を発生可能な音発生手段を有し、この音発生手段から発する音と前記振動発生手段による振動とを組み合わせて前記露光情報を感知可能としたことを特徴とする。
また、上記課題を解決するための第６の解決手段として、押圧操作とスライド操作とが可能なスイッチ装置を備え、前記スイッチ装置の押圧操作で少なくとも絞り調整モードに切り換わり、その後、前記スライド操作で前記絞りが調整可能になることを特徴とする。
また、上記課題を解決するための第７の解決手段として、前記絞り調整モードに切り換え後、再度前記押圧操作を行うことで、シャッター速度調整モードに切り換わり、その後、前記スライド操作で前記シャッタ速度が調整可能になることを特徴とする。
【発明の効果】
【００１０】
本発明は、所定の露光調整により露光量を調整可能なカメラであって、露光調整により露光量が撮影に適正な適正範囲、又は撮影に不適な不適正範囲になった旨の露光情報を、被写体を観察しながら撮影者が感知可能な感知手段を配設したので、露光量調整が適正範囲、又は不適正範囲になったことを、撮影者が被写体を観察しながら感知して撮影することができる。そのために、被写体を観察しながら最適なシャッターチャンスで撮影することができる。
また、シャッター速度が高速又は低速の露光量適正範囲が狭い領域での撮影においても、露光量が適正範囲になると感知手段が駆動するので、正確な露光調整が可能である。
また、感知手段は、カメラを所定の振幅で振動駆動可能な振動発生手段を有し、この振動発生手段によってカメラが振動することで、露光情報を撮影者が感知できるので、露光量が最適範囲、又は不適範囲にあることを撮影者が確実に感知できる。
【００１１】
また、振動発生手段により振動する振動パターンは、複数種類あり、振動パターンは、露光調整によって露光量が適正範囲になると第１の振動パターで振動し、露光量が適正範囲から所定範囲外れた場合は、第２の振動パターンで振動するので、第２の振動パターンで振動開始すると露光量が適正範囲に近づいたことを感知することができ、操作性に優れている。
また、振動パターンは、露光調整中に露光量が所定範囲以上外れた場合は、第３の振動パターンで振動するので、更に操作性に優れている。
【００１２】
また、感知手段は、所定の大きさの音を発生可能な音発生手段を有し、この音発生手段から発する音と振動発生手段による振動とを組み合わせて露光情報を感知可能としたので、撮影者が振動発生手段による振動を見逃しても音発生手段による音を感知して露光量が適正範囲になったことを知ることができる。
また、押圧操作とスライド操作とが可能なスイッチ装置を備え、スイッチ装置の押圧操作で少なくとも絞り調整モードに切り換わり、その後、スライド操作で絞りが調整可能になっているので、１個のスイッチ装置の押圧操作とスライド操作とにより、複数の撮影モードの切り換えと、切り換えた撮影モードの階層の絞り込みとを行うことができ、複数の撮影モードの切り換え等を１個のスイッチ装置で行うことができ、部品点数の少ないカメラを提供できる。
また、絞り調整モードに切り換え後、再度押圧操作を行うことで、シャッター速度調整モードに切り換わり、その後、スライド操作でシャッタ速度が調整可能になるので、オート撮影あるいはセミオート撮影だけでなくマニアル撮影もでき、用途の広いカメラを提供できる。
【発明を実施するための最良の形態】
【００１３】
本発明のカメラを図面に基づいて説明する。図１は本発明に関するカメラの斜視図であり、図２は図１の要部拡大図であり、図３は本発明に係わる露光量適正範囲を説明するグラフであり、図４はセミオート撮影の操作手順を説明するブロック図であり、図５はマニアル撮影の操作手順を説明するブロック図である。
【００１４】
まず、本発明のカメラ１を、例えば近年主流となっているデジタルカメラで説明すると、カメラ１の本体部２には、所定の大きさの液晶等からなるモニター部３が配設されている。このモニター部３と対向する側には所定の焦点距離と明るさの対物レンズ（図示せず）が配設されており、対物レンズの結像部分の本体部２内部には、ＣＣＤ、あるいはＣＭＯＳ等の撮像素子が配設されている。
また、本体部２の図示右側には、撮影者が把持可能なグリップ部４が形成され、グリップ部４の上部に、２段操作可能なシャッターボタン５が配設されている。
前記シャッターボタン５は、撮影モードがオート撮影モードになっている時に、軽く半押しすることで露光調整が自動的に行われるようになっている。
【００１５】
また、グリップ部４には、上部側にスライド操作可能なスイッチ装置からなるズーミングボタン６と、この下部にスライド操作と押圧操作とが可能なスイッチ装置からなるセレクトボタン７とが配設されている。
そして、例えば搭載しているレンズが焦点距離２５ｍｍの場合に、ズーミングボタン６を図示右方向にスライドさせると、例えば３倍にズーミングされて焦点距離が７５ｍｍになり、図示左方向にスライドさせると、最初の２５ｍｍの焦点距離に戻るようになっている。
【００１６】
また、セレクトボタン７は、図２に示すように、操作部７ａの中央部に凸部７ｂが形成され、凸部７ｂを押圧操作することで、複数の撮影モードに切り換え可能になっており、操作部７ａを左右にスライド操作することにより、切り換えた撮影モードの階層を絞り込みできるようになっている。
例えば、電源スイッチ（図示せず）を押圧して電源を立ち上げた初期状態においては、撮影モードがオート撮影モードになる。
【００１７】
このオート撮影モードにおいて、セレクトボタン７の凸部７ｂを押圧する第１の押圧操作で、オート撮影モードからセミオート撮影モードに切り換わり、露光調整モードが、例えば絞り調整モードとなり、モニター部３に後述する露光量適正範囲に対応する絞り目盛りが表示される。
その後、セレクトボタン７を左右にスライド操作することにより、露光量適正範囲に対応する絞りＦに調整可能になる。
【００１８】
また、露光調整を絞り調整でなくシャッター速度の調整で行うには、セレクトボタン７の第１の押圧操作で絞り調整モードになった後、セレクトボタン７をスライド操作しないで、続けて第２の押圧操作を行うことで、絞り調整モードからシャッター速度調整モードに切り換わり、モニター部３に適正露光量に対応するシャッター速度目盛りが表示される。
その後、セレクトボタン７を左右にスライド操作することにより、露光量適正範囲に対応するシャッター速度に調整可能になる。
【００１９】
尚、上記実施の形態では、セレクトボタン７の第１の押圧操作で絞り調整モードに切り換わり、第２の押圧操作で、シャッタ速度調整モードに切り換わることで説明したが、第１の押圧操作でシャッター速度調整モードに切り換わり、第２の押圧操作で、絞り調整モードに切り換わるものでも良い。
また、カメラ１の露光調整は、周知のように絞りＦとシャッター速度Ｓとの調整によって行うことができ、図３の実線で示す範囲が露光量適正範囲で、この露光量適正範囲になるように、絞りＦとシャッター速度Ｓとを調整することにより、適正な明るさの画像撮影が可能になる。
尚、図３に示す実線で囲んだ露光量適正範囲は、説明のために模式的に書いている。
【００２０】
前記実線で囲んだ部分の露光量適正範囲は、本体部２内の制御部（図示せず）にテーブルとして入力されている。
そして、図３に示すような露光量適正範囲になるように、例えば、絞りＦを「１６」又は「１１」に調整しシャッター速度Ｓを「４秒」に調整して撮影した画像と、絞りＦを「１．４」又は「２」で調整しシャッター速度Ｓを「１／２５０秒」で撮影した画像とは、どちらも同じ明るさで被写体を撮影できる。
【００２１】
また、制御部には、セミオート撮影用として、例えば標準絞りとして「４」が入力され、標準シャッター速度して「１／６０秒」が事前にテーブルとして入力されている。
即ち、セミオート撮影モードの時の露光調整は、図３において、実線の露光量適正範囲に囲まれた標準シャッター速度１／６０秒の縦軸に対応して絞りＦの調整範囲が略１．３〜４になっている。
あるいは、実線の露光量適正範囲に囲まれた標準絞り「４」の横軸に対応してシャッター速度Ｓの調整範囲が略１〜１／６０秒になっている。
【００２２】
また、カメラ１には、露光調整によって露光量が適正範囲になった旨の露光情報を、撮影者が感知可能な感知手段（図示せず）が配設されている。
前記感知手段は、例えばカメラ１を所定の振幅で振動駆動可能な振動発生手段からなり、絞り、又はシャッター速度の調整による所定の露光調整により、露光量が撮影に適正な適正範囲になると、振動発生手段によりカメラ１が所定の振幅で振動するようになっている。
このことにより、撮影者が露光量適正範囲になったことを確実に感知できる。
【００２３】
また、振動発生手段は、振動パターンが複数種類あり、絞り、あるいはシャッター速度の調整による露光調整が、露光量適正範囲になると、露光量適正範囲になった旨の露光情報に対応して、カメラ１が例えば「ブルルルル」のような連続した第１の振動パターンで振動するようになっている。
また、露光調整中の絞りＦが、図３に示す露光量適正範囲に近づく（あるいは露光量が適正範囲から所定範囲外れる）と、この露光情報に対応して、カメラ１が例えば「ブルッ・ブルッ・ブルッ」のような断続的な第２の振動パターンで振動するようにしても良い。
【００２４】
更に、露光調整中に露光量が所定範囲以上外れると、この露光情報に対応して、カメラ１が例えば「ブルル・ブルル・ブルル」のような第３の振動パターンで振動するようにしても良い。
即ち、所定の露光調整により露光量が撮影に適正な適正範囲又は不適正範囲になった旨の露光情報を、撮影者が被写体を観察しながら感知可能になっている。
そのために、振動発生手段は、露光調整中の露光量が適正範囲内になったときだけでなく、露光調整中の露光量が適正範囲に近づいたとき、あるいは適正範囲から大きく外れた場合も、第２、第３の振動パターンの振動により、撮影者に知らせることができる。
前記第１、第２、第３の振動パターンを停止させるには、シャッターボタン５を軽く半押しすることで可能になっている。
そのために、シャッターを切る時のカメラ１は、振動しないので撮影画像にブレが発生する心配はない。
【００２５】
このような本発明のカメラ１の露光調整方法を図４、図５のブロック図で説明すると、まず、セミオート撮影を行う場合は、電源スイッチ（図示せず）を操作してカメラ１の電源を立ち上げる。
すると、撮影モードは、オート撮影モードになり、このオート撮影モードの時にシャッターボタン５を軽く半押しすると、露光調整が自動的に行われて露光量適正範囲になると共にオートフォーカスが行われる。
【００２６】
その後、シャッターボタンを強く押し込むことで、シャターが切れて被写体を適正な明るさで撮影できる。通常、昼間の明るい環境で撮影する場合は、オート撮影で被写体を適正な明るさで撮影できるが、例えば、周囲の明るさが暗くてオート撮影に適さない状況の場合は、必要に応じて絞り、あるいはシャッター速度のいずれか一方を調整するセミオート撮影モードに切り換えて撮影可能になっている。
このような、撮影モードをセミオート撮影モードに切り換えるには、オート撮影モードになっている状態から、セレクトボタン７の第１の押圧操作でセミオート撮影モードに切り換わると共に、露光調整モードが絞り調整モードになる。
【００２７】
前記露光調整モードが絞り調整モードになると、セレクトボタン７をスライド操作させて、事前に入力している標準シャッタ速度「１／６０秒」に対応する絞りＦが、露光量適正範囲である「略１．４〜４」の範囲近傍になると、カメラ１が第２の振動パターンで振動して、撮影者がモニター部３を見なくても、露光調整中の露光量が適正範囲に近づいたことを感知できる。
前記第２の振動パターンでカメラ１が振動中に、シャッターボタン５を誤って押圧しても、シャッターは切れないようになっている。
【００２８】
そして、第２の振動パターンで振動中にセレクトボタン７を更にスライドさせて、絞りＦが露光量適正範囲である「略１．４〜４」の範囲内になると、カメラ１が第１の振動パターンで振動する。
このことにより、撮影者がモニター部３を見なくても、絞りＦが露光量適正範囲内になったことを感知でき、第１の振動パターンで振動が開始すると、シャッタボタン５を強く押し込むことでシャッターが切れて、被写体を適正な明るさで撮影することができる。
【００２９】
また、セミオート撮影モードの時の露光調整を、絞りＦの調整に換えてシャッタ速度Ｓの調整で行う場合には、第１の押圧操作で露光調整モードが絞り調整モードになると、絞り調整を行わないで続けてセレクトボタン７を押圧する第２の押圧操作で、露光調整モードがシャッター速度調整モードに切り換わる。
そして、シャッター速度調整モードに切り換わると、セレクトボタン７をスライド操作して、事前に入力している標準絞りＦ「４」の値に対応するシャッター速度Ｓを「略１〜１／６０秒」の範囲に調整することで、露光量が適正範囲に調整されて、適正な明るさの画像を撮影することができる。
前記シャッター速度の調整時も、絞り調整と同様に、「略１〜１／６０秒」の露光量適正範囲近傍になると、カメラ１が第２の振動パターンで振動し、調整するシャッター速度が露光量適正範囲内になると、第１の振動パターンで振動するようになっている。
【００３０】
また、動いている被写体等をブレなく鮮明に撮影したい場合は、必要に応じて絞りとシャッター速度の両方を調整可能なマニアル撮影モードに切り換えて撮影することができる。
前記マニアル撮影モードに切り換えるには、図５のブロック図に示すように、電源を立ち上げてオート撮影モードになると、セレクトボタン７の第１の押圧操作で、絞り調整モードになりセレクトボタン７をスライド操作して所望の絞りＦに合わせる。
その後、セレクトボタン７の第２の押圧操作で、撮影モードがマニアル撮影モードになると共に、シャッター速度調整モードになる。そして、セレクトボタン７をスライド操作して所望のシャッター速度Ｓに合わせる。
前記絞り調整モードで合わせた絞りＦとシャッター速度調整モードで合わせたシャッター速度Ｓとの露光量が、図３に示す露光量適正範囲にある時は、カメラ１が第１の振動パターンで振動する。
【００３１】
このようなマニアル撮影モードでも撮影例を、例えば乗り物、あるいはスポーツ選手等の動いている被写体をシャープ（鮮明）に撮影する場合で説明すると、動いている被写体をシャープに撮影するにはシャッター速度Ｓを高速領域で撮影しなければならないので、絞りＦは、例えば開放気味の「２」に調整する。
すると、モニター部３に絞りＦ「２」に対応する露光量適正範囲のシャッター速度Ｓが「略１／８〜１／２５０秒」であることが表示される。
そして、シャッター速度Ｓは、高速領域の１／２５０秒に調整することで、被写体をシャープに撮影できる。
前記マニアル撮影モードで調整した絞りＦ「２」とシャッター速度Ｓ１／２５０秒との露光量は、図３に示す露光量適正範囲内なので、カメラ１は第１の振動パターンで振動する。
【００３２】
そのために、適正露光範囲になったことを動いている被写体を観察しながら撮影者が感知できる。
尚、絞りＦを「２」に調整した状態で、シャッター速度Ｓを１／５００秒に調整した場合は、露光量が適正範囲から若干外れるので、カメラ１は第２の振動パターンで振動する。このことで、撮影者は、調整した露光量が適正範囲から外れていることを感知できる。
前述のようなマニアル撮影モードで絞りＦを開放側に調整することで、撮影する画像の被写界深度を浅くすることができる。そのために、フォーカス調整が適正であれば、撮影した被写体はシャープに、バックの景色等はぼかして撮影でき、遠近感のある画像を得ることができる。
【００３３】
また、逆に、被写界深度を深くしたい場合には、露出不足になるのを承知して絞りＦを例えば８に絞って調整し、シャッター速度は１／２５０秒のままで撮影することで、露出不足になるがバックの景色等を絞りＦが「２」の時よりシャープに撮影することができる。
また、マニアル撮影モードでは、オート撮影、あるいはセミオート撮影に適さない夜景等の暗い被写体も撮影することができる。
このような夜景等を撮影する場合は、絞りＦを開放に近い側の例えば「２〜１．４」に調整し、シャッター速度Ｓを２〜１秒に調整することで、夜景等を撮影可能な露光量となる。
【００３４】
また、本発明のカメラ１の感知手段は、ブザー等の音発生手段（図示せず）を有し、この音発生手段から発する音と振動発生手段による所定の振幅の振動とを組み合わせて、露光量が適正範囲か不適正範囲かの露光情報を感知可能としたものでも良い。
このような音発生手段から発生する音と、振動発生発生手段から発生する振動とを組み合わせることで、撮影者が何らかの理由、例えばカメラ１を三脚等に取り付けていて振動が感知できなくても、音で感知することができ、更に確実に露光量が適正範囲になったことを感知してシャッターチャンスを逃がすことがない。
【００３５】
尚、本発明の実施の形態では、露光量が適正範囲から所定範囲外れると第２の振動パターンで振動し、露光量が適正範囲から所定範囲以上外れると第３の振動パターンで振動することで説明したが、露光量が適正範囲内になった時のみ所定の振動パターンで振動し、露光量が不適正範囲の場合は、振動しないようにしたものでも良い。
また、逆に、露光量が不適正範囲の時のみ所定の振動パターンで振動し、露光量が適正範囲内になると振動しないようにしたものでも良い。
また、本発明のカメラ１は、デジタルカメラに限定されずフィルム式のカメラにも適用は可能である。
【図面の簡単な説明】
【００３６】
【図１】本発明に関するカメラの斜視図である。
【図２】図１の要部拡大図である。
【図３】本発明に係わる露光量適正範囲を説明するグラフである。
【図４】セミオート撮影の操作手順を説明するブロック図である。
【図５】マニアル撮影の操作手順を説明するブロック図である。
【図６】従来のカメラの正面図である。
【図７】従来のカメラの上面図である。
【符号の説明】
【００３７】
１  本発明のカメラ
２  本体部
３  モニター部
４  グリップ部
５  シャッターボタン
６  ズーミングボタン
７  セレクトボタン
７ａ  操作部
７ｂ  凸部
【図１】
2006243091.tif 000003
【図２】
2006243091.tif 000004
【図３】
2006243091.tif 000005
【図４】
2006243091.tif 000006
【図５】
2006243091.tif 000007
【図６】
2006243091.tif 000008
【図７】
2006243091.tif 000009